(57)【要約】【課題】  転送先が長時間応答しない場合には転送元から転送動作の中止を行うことができるＶｏＩＰ電話システムを提供する。【解決手段】  発信元からの発呼に対してＶｏＩｐ電話端末受信元が応答して通話が成立した後にその受信元からの転送操作によりＬＡＮ上のＶｏＩＰ電話端末への転送を行うＶｏＩＰ電話システムにおいて、受信元が転送操作を行った際には見掛け上の転送を成立させるＯＫ信号を転送先から受信元に送信し、受信元はそのＯＫ信号に対する応答信号を転送先に送信した上で発信元に対して転送先との転送に関するシーケンスを実行する構成とした。【選択図】        図１
2005286578.tif 000002
【特許請求の範囲】
【請求項１】
発信元からの発呼に対してＶｏＩｐ電話端末受信元が応答して通話が成立した後にその受信元からの転送操作によりＬＡＮ上のＶｏＩＰ電話端末への転送を行うＶｏＩＰ電話システムにおいて、
受信元が転送操作を行った際には受信元は転送先の応答を通知するＯＫ信号の受信を待機し、受信元は前記ＯＫ信号を受信するとそのＯＫ信号に対する応答信号を転送先に送信した上で発信元に対して転送先との転送に関するシーケンスを実行することを特徴とするＶｏＩＰ電話システム。
【請求項２】
前記ＯＫ信号の待機時に、受信元が転送解除操作を行った場合には、転送先への発信を解除するための解除信号が転送先に送信されることを特徴とする請求項１に記載のＶｏＩＰ電話システム。
【発明の詳細な説明】
【技術分野】
【０００１】
本発明は、ＶｏＩＰ（Ｖｏｉｃｅ ｏｖｅｒ  Ｉｎｔｅｒｎｅｔ  Ｐｒｏｔｏｃｏｌ）電話システム、特に、セカンダリコール無の場合の転送技術に関する。
【背景技術】
【０００２】
近年、インターネットの普及並びに通信速度の向上等により、インターネット・プロトコル（Ｉｎｔｅｒｎｅｔ  Ｐｒｏｔｏｃｏｌ＝ＩＰ）ネットワークを利用して音声信号を送る技術であるＶｏＩＰを用いて電話通信を可能としたＶｏＩＰ電話システムが提供されている。
【０００３】
このＶｏＩＰ電話システムは、例えば、一般のＬＡＮ（ローカル・エリア・ネットワーク）用の規格であるＩＴＵ‐Ｔ勧告Ｈ.３２３を用いて構成される。
【０００４】
通常のアナログ電話システムにおいては、発信者と受信者との間に交換機が介在され、両者間の通話は交換機によって制御される。
【０００５】
これに対し、ＶｏＩＰ電話システムでは、発信者と受信者の電話システム端末によって制御される。従って、両者間に介在されるサーバは、両者間の識別や信号中継を司るものであって、アナログ電話システムにおける交換機のような通話制御は行わないのが基本である。
【０００６】
一方、ＶｏＩＰ電話システムでは、アナログ電話システムと同様の機能を備えるように考慮されており、発信者との通話を保留したうえで受信者からネットワーク上の他のＶｏＩＰ電話端末を呼び出し、その通話の転送を可能としている（例えば、特許文献１参照）。
【０００７】
この際、転送技術にはセカンダリコール有の場合とセカンダリコール無の場合の２通りの転送がある。
【０００８】
セカンダリコール有の転送とは、発信者との通話を保留した状態で転送先を呼び出し、その転送先がハンドセットを取り上げることにより転送元（受信者）と転送先との通話を可能としたものである。これにより、転送元では、転送先を確認すると共にその転送先に対して発信者を告知するといった転送作業を実現する。例えば、「営業課の○○さんに、××さんから電話が入っています。」といった告知を行う。また、転送元では、この告知後にハンドセットを置くことにより保留が解除され、発信者と転送先との通話が開始状態となる。
【０００９】
セカンダリコール無の転送とは、上述した転送元と転送先との通話（告知）が無いものである。従って、転送元は、発信者との通話を保留したうえで転送先を指定すると共にハンドセットを置く。転送先は、転送用のコール音を聞いてハンドセットを取り上げることにより保留が解除され、そのまま発信者との通話が開始状態となる。
【００１０】
図４は、このようなセカンダリコール無の場合の具体的なシーケンスを示す。尚、このシーケンスでは、ＶｏＩＰ電話システムの代表的な呼制御プロトコルとしてＳＩＰ（Ｓｅｓｓｉｏｎ  Ｉｎｉｔｉａｔｉｏｎ  Ｐｒｏｔｏｃｏｌ）を用いており、以下に示すメソッド（制御機能）とレスポンスコード（応答）とを用いている。また、以下の説明では発信者からの発呼に対して転送元（受信者）が応答し、両者間の通話が確立した後の状態から説明する。
【００１１】
（転送開始〜保留音鳴動）
先ず始めに、転送元オペレータが『転送ボタン』を押下する。
【００１２】
転送元は、サーバ（ＳＩＰサーバ）に対して"ＩＮＶＥＴＥ"メソッドを送信して『転送ボタン』押下のセンッション要求を行う。
【００１３】
サーバは、この『転送ボタン』押下のセッション要求に対し、レスポンスコード１００の"Ｔｒｙｉｎｇ（試行中）"を転送元に通知応答する。また、サーバは、発信者に対して"ＩＮＶＥＴＥ"メソッドを送信して『転送ボタン』押下のセッション要求を行う。
【００１４】
発信者は、この『転送ボタン』押下のセッション要求に対し、レスポンスコード２００の"ＯＫ（成功）"をサーバを経由して転送元に応答する。
【００１５】
転送元は、サーバを介して『転送ボタン』押下のセッション要求"ＩＮＶＩＴＥ"メソッドに対する最終応答受信の"ＡＣＫ"メソッドを発信者に送信した後、転送元から発信者に対して保留音を流す。
【００１６】
（転送先指定〜転送先発呼）
次に、転送元オペレータは『転送先』を入力すると共に『実行ボタン』を押下する。
【００１７】
転送元は、サーバに対して"ＩＮＶＥＴＥ"メソッドを送信して転送先に対して『実行ボタン』押下のセンッション要求を行う。
【００１８】
サーバは、この『実行ボタン』押下のセッション要求に対し、レスポンスコード１００の"Ｔｒｙｉｎｇ"を転送元に通知応答する。また、サーバは、転送先に対して"ＩＮＶＥＴＥ"メソッドを送信して『実行ボタン』押下のセッション要求を行う。
【００１９】
転送先は、この『転送ボタン』押下のセッション要求に対し、レスポンスコード１００の"Ｔｒｙｉｎｇ"をサーバに応答する。また、転送先は、サーバを介してレスポンスコード１８０の"Ｒｉｎｇｉｎｇ（呼出中）"メソッドを転送元に送信し、転送先から転送元に対して呼び出し音を流す。
【００２０】
（通話路閉塞）
転送元オペレータは、転送先から呼び出し音が流れてきたので、ハンドセットを置いてオンフックとする。また、これに伴い、転送元のＶｏＩＰ電話端末の表示部に「転送中」が表示される。
【００２１】
転送元は、オンフックに伴い、サーバを介して発信者に対して"ＲＥＦＦＥＲ"メソッドを送信して転送を指示する。
【００２２】
発信者は、レスポンスコード２０２の"Ａｃｃｅｐｔｅｄ（受入）"をサーバを介して転送元に送信し、指示を受けたことを通知する。
【００２３】
さらに発信者は、通話路閉塞に伴い、転送元との通話状態から転送先との通話とするために、サーバを介して転送先に対して"ＩＮＶＥＴＥ（Ｒｅｐｌａｃｅ）"メソッドを送信してセッション要求を行う。
【００２４】
転送先は、これに対し、レスポンスコード１００の"Ｔｒｙｉｎｇ"をサーバを介して発信者に応答する。また、転送先は、サーバを介してレスポンスコード１８０の"Ｒｉｎｇｉｎｇ（呼出中）"メソッドを発信者に送信し、転送先から発信者に対して呼び出し音を流す。
【００２５】
さらに、転送先は、サーバを介してレスポンスコード６８７の"Ｄｉａｌｏｇ  Ｔｅｒｍｉｎａｔｅｄ（ダイアログ終了）"メソッドを転送元に送信する。
【００２６】
転送元は、サーバを介して"Ｄｉａｌｏｇ  Ｔｅｒｍｉｎａｔｅｄ"メソッドに対する最終応答受信の"ＡＣＫ"メソッドを転送先に送信し、転送元の通話路が閉塞される。
【００２７】
これにより、転送元では、ハンドセットを取り上げても、その回線は転送操作後の発信者と転送先との間で使用されているため、通話不能（使用不能）状態となる。
【００２８】
転送先では、転送に伴う発呼に応答するためにハンドセットを取り上げると、レスポンスコード２００の"ＯＫ（成功）"をサーバを経由して発信者に送信する。
【００２９】
発信者は、サーバを介して転送受け入れに対する最終応答受信の"ＡＣＫ"メソッドを転送先に送信する。また、発信者は、サーバを介して現在のステート情報である"ＮＯＴＩＦＹ"メソッドを転送元に送信する。
【００３０】
従って、転送元は、この"ＮＯＴＩＦＹ"メソッドが発信者から送信されてくるまで通話路閉塞状態が維持される。
【００３１】
転送元は、発信者からの"ＮＯＴＩＦＹ"メソッドに対してレスポンスコード２００の"ＯＫ"をサーバを経由して発信者に応答する。また、サーバを介して通話終了の"ＢＹＥ"メソッドを発信者に送信する。
【００３２】
発信者は、転送元からの"ＢＹＥ"メソッドに対してレスポンスコード２００の"ＯＫ"をサーバを経由して転送元に応答する。
【００３３】
これにより、転送元では転送状態から待ち受け状態に復帰する。また、発信者と転送先との通話がなされる。
【特許文献１】特開２００３−３２３７２号公報
【発明の開示】
【発明が解決しようとする課題】
【００３４】
ところで、上述したＶｏＩＰ電話システムにあっては、転送元が転送先を指定してハンドセットをオンフックすると、発信者から"ＮＯＴＩＦＹ"メソッドが送信されてくるまで通話路閉塞状態が維持されるため、転送先が話中であった場合などに転送元でそれを認知することができないという問題が生じる。
【００３５】
これを解決するためには、転送先の応答を示す"ＮＯＴＩＦＹ"（２００"ＯＫ"）まで呼を切断せずに待つ必要がある。
【００３６】
しかしながら、今度は発信者に対して"ＲＥＦＦＥＲ"メソッドを送信して転送を指示した後は発信者が転送に関するシーケンスを実行するので、転送元のＶｏＩＰ電話端末機によって転送を解除する術がないため、転送先が応答するまで転送元は使用することができないということになる。
【００３７】
そこで、本発明は、上記事情を考慮し、転送先が長時間応答しない場合には転送元から転送動作の中止を行うことができるＶｏＩＰ電話システムを提供することを目的とする。
【課題を解決するための手段】
【００３８】
請求項１に記載のＶｏＩＰ電話システムは、発信元からの発呼に対してＶｏＩｐ電話端末受信元が応答して通話が成立した後にその受信元からの転送操作によりＬＡＮ上のＶｏＩＰ電話端末への転送を行うＶｏＩＰ電話システムにおいて、受信元が転送操作を行った際には受信元は転送先の応答を通知するＯＫ信号の受信を待機し、受信元は前記ＯＫ信号を受信するとそのＯＫ信号に対する応答信号を転送先に送信した上で発信元に対して転送先との転送に関するシーケンスを実行することを特徴とする。
【００３９】
請求項１に記載のＶｏＩＰ電話システムによれば、セカンダリコール無の転送において、転送先が応答しない状態で受信元が回線を使用可能な状態にすることができる。
【００４０】
請求項２に記載のＶｏＩＰ電話システムは、ＯＫ信号の待機時に、受信元が転送解除操作を行った場合には、転送先への発信を解除するための解除信号が転送先に送信されることを特徴とする。
【００４１】
請求項２に記載のＶｏＩＰ電話システムによれば、受信元の転送解除操作により転送先への発信を解除することができる。
【発明の効果】
【００４２】
請求項１に記載のＶｏＩＰ電話システムによれば、受信元が転送操作を行った際には受信元は転送先の応答を通知するＯＫ信号の受信を待機するため、受信元と転送先が通話をしないセカンダリコール無の転送において、受信元のＶｏＩＰ電話端末が転送中であっても使用可能状態とすることができる。
【００４３】
請求項２に記載のＶｏＩＰ電話システムによれば、ＯＫ信号の待機時に、受信元が転送解除操作を行うことにより転送先への発信を解除するため、転送元から応答がないときに、受信元の操作により、もとの通話状態へと復帰することができる。
【発明を実施するための最良の形態】
【００４４】
次に、本発明の一実施形態に係るＶｏＩＰ電話システムについて、図面を参照して説明する。
【００４５】
図１において、インターネット網１にルータ２が接続される。このルータ２にゲートウェイ３、サーバ４、ＶｏＩＰ電話端末５〜９がＬＡＮ接続される。また、ゲートウェイ３は加入者電話網１０を介して加入者電話端末（装置）１１（通常のアナログ電話機）が接続され、音声データとＩＰパケットの交換を行う。
【００４６】
ＶｏＩＰ電話端末５の制御回路５１は、ＲＯＭとＲＡＭとを有するメモリ５２に書き込まれたプログラムにより各部を制御する。また、メモリ５２は制御回路５１の動作に必要な情報を記憶する。スピーカ（ＳＰ）５３は着信を鳴動で報知する。入力部５４は通話や設定等の各種操作を行う。
【００４７】
表示部５５は通話や設定等の各種情報を表示する。具体的には、表示部５５は、複数に分割表示が可能となっており、内線番号、入力部５４で入力された文字や情報等が表示される。
【００４８】
尚、その他のＶｏＩＰ電話端末６〜９も同一構成のものが用いられており、その端末としての機能設定（例えば、主番号と副番号）が異なるのみであるので、ここではその図示並びに説明を省略する。また、ＶｏＩＰ電話端末５〜９は、各々異なる主番号と共有グループとしての副番号が付与されている。例えば、ＶｏＩＰ電話端末５〜９の各々に４桁の主番号（例えば、４００１〜４００５）が付与される。また、共有グループとしてＶｏＩＰ電話端末５〜７を一つの共有グループ、ＶｏＩＰ電話端末７〜９をもう一つの共有グループとした場合、各グループの各々にも４桁の副番号（例えば、４１００と４２００）が付与される。
【００４９】
ここで、主番号、例えば、４００１に着信があった場合には、その主番号に対応するＶｏＩＰ電話端末５のみが鳴動する。また、副番号、例えば、４１００に着信があった場合には、その副番号に対応するＶｏＩＰ電話端末５〜７が鳴動する。
【００５０】
次に、これらＶｏＩＰ電話端末５〜９での転送に関する制御系を図２及び図３のシーケンスに基づいて説明する。
【００５１】
図２及び図３はセカンダリコール無の場合の具体的なシーケンスを示し、図２は転送先が応答した場合のシーケンスの説明図、図３は転送先が応答しない場合のシーケンスの説明図である。
【００５２】
ところで、このシーケンスでは、ＶｏＩＰ電話システムの代表的な呼制御プロトコルとしてＳＩＰを用いており、以下に示すメソッド（制御機能）とレスポンスコード（応答）とを用いている。また、以下の説明では発信者（発信元）からの発呼に対して転送元（受信元）が応答し、両者間の通話が確立した後の状態から説明する。また、以下の説明では、説明の便宜上、加入者電話装置（発信者、発信元）１１からの外線をＶｏＩＰ電話端末（転送元、受信元）５が着信し、その電話をＶｏＩＰ電話端末（転送先）９に転送する場合として説明する。
【００５３】
＜転送先応答有の場合＞
先ず、図２を参照しつつ転送先有の場合を説明する。
【００５４】
（転送開始〜保留音鳴動）
先ず始めに、ＶｏＩＰ電話端末５のオペレータが『転送ボタン』を押下する。
【００５５】
ＶｏＩＰ電話端末５は、サーバ（ＳＩＰサーバ）４に対して"ＩＮＶＥＴＥ"メソッドを送信して『転送ボタン』押下のセンッション要求を行う。
【００５６】
サーバ４は、この『転送ボタン』押下のセッション要求に対し、レスポンスコード１００の"Ｔｒｙｉｎｇ（試行中）"をＶｏＩＰ電話端末５に通知応答する。また、サーバ４は、加入者電話装置１１に対して"ＩＮＶＥＴＥ"メソッドを送信して『転送ボタン』押下のセッション要求を行う。
【００５７】
加入者電話装置１１は、この『転送ボタン』押下のセッション要求に対し、レスポンスコード２００の"ＯＫ（成功）"をサーバ４を介してＶｏＩＰ電話端末５に応答する。
【００５８】
ＶｏＩＰ電話端末５は、サーバ４を介して『転送ボタン』押下のセッション要求"ＩＮＶＩＴＥ"メソッドに対する最終応答受信の"ＡＣＫ"メソッドを加入者電話装置１１に送信した後、ＶｏＩＰ電話端末５から加入者電話装置１１に対して保留音を流す。
【００５９】
（転送先指定〜転送先発呼）
次に、ＶｏＩＰ電話端末５のオペレータは『転送先』を入力すると共に『実行ボタン』を押下する。
【００６０】
ＶｏＩＰ電話端末５は、サーバ４に対して"ＩＮＶＥＴＥ"メソッドを送信してＶｏＩＰ電話端末９に対して『実行ボタン』押下のセンッション要求を行う。
【００６１】
サーバ４は、この『実行ボタン』押下のセッション要求に対し、レスポンスコード１００の"Ｔｒｙｉｎｇ"をＶｏＩＰ電話端末５に通知応答する。また、サーバ４は、ＶｏＩＰ電話端末９に対して"ＩＮＶＥＴＥ"メソッドを送信して『実行ボタン』押下のセッション要求を行う。
【００６２】
ＶｏＩＰ電話端末９は、この『転送ボタン』押下のセッション要求に対し、レスポンスコード１００の"Ｔｒｙｉｎｇ"をサーバ４に応答する。また、ＶｏＩＰ電話端末９は、サーバ４を介してレスポンスコード１８０の"Ｒｉｎｇｉｎｇ（呼出中）"メソッドをＶｏＩＰ電話端末５に送信し、ＶｏＩＰ電話端末９からＶｏＩＰ電話端末５に対して呼び出し音を流す。
【００６３】
（通話路閉塞）
ＶｏＩＰ電話端末５のオペレータは、ＶｏＩＰ電話端末９から呼び出し音が流れてきたので、ハンドセットを置いてオンフックとする。また、これに伴い、ＶｏＩＰ電話端末５の表示部５５に「転送中」が表示される。
【００６４】
ここでＶｏＩＰ電話端末９は、サーバ４を介してレスポンスコード２００の"ＯＫ"をＶｏＩＰ電話端末５に応答する。
【００６５】
ＶｏＩＰ電話端末５は、サーバ４を介してレスポンスコード２００の"ＯＫ"に対する最終応答受信の"ＡＣＫ"メソッドをＶｏＩＰ電話端末９に送信する。
【００６６】
これにより、見かけ上、ＶｏＩＰ電話端末５では加入者電話装置１１とＶｏＩＰ電話端末９との通話がなされたということになる。
【００６７】
この状態から、ＶｏＩＰ電話端末５は、オンフックに伴い、サーバ４を介して加入者電話装置１１に対して"ＲＥＦＦＥＲ"メソッドを送信して転送を指示する。
【００６８】
加入者電話装置１１は、レスポンスコード２０２の"Ａｃｃｅｐｔｅｄ（受入）"をサーバ４を介してＶｏＩＰ電話端末５に送信し、指示を受けたことを通知する。
【００６９】
さらに加入者電話装置１１は、通話路閉塞に伴い、ＶｏＩＰ電話端末５との通話状態からＶｏＩＰ電話端末９との通話とするために、サーバ４を介してＶｏＩＰ電話端末９に対して"ＩＮＶＥＴＥ（Ｒｅｐｌａｃｅ）"メソッドを送信してセッション要求を行う。
【００７０】
ＶｏＩＰ電話端末９は、これに対し、レスポンスコード２００の"ＯＫ"をサーバ４を介して加入者電話装置１１に応答する。
【００７１】
加入者電話装置１１は、サーバ４を介してレスポンスコード２００の"ＯＫ"に対する最終応答受信の"ＡＣＫ"メソッドをＶｏＩＰ電話端末９に送信する。
【００７２】
ＶｏＩＰ電話端末９は、この"ＡＣＫ"メソッドにより、サーバ４を介して通話終了の"ＢＹＥ"メソッドをＶｏＩＰ電話端末５に送信する。
【００７３】
ＶｏＩＰ電話端末５では、この"ＢＹＥ"メソッドによりＶｏＩＰ電話端末９がハンドセットを取り上げて転送に応答したとして、サーバ４を介してレスポンスコード２００の"ＯＫ"をＶｏＩＰ電話端末９に応答する。
【００７４】
一方、加入者電話装置１１は、サーバ４を介して現在のステート情報である"ＮＯＴＩＦＹ"メソッドをＶｏＩＰ電話端末５に送信する。
【００７５】
ＶｏＩＰ電話端末５は、加入者電話装置１１からの"ＮＯＴＩＦＹ"メソッドに対してレスポンスコード２００の"ＯＫ"をサーバ４を介して加入者電話装置１１に応答する。また、サーバ４を介して通話終了の"ＢＹＥ"メソッドを加入者電話装置１１に送信する。
【００７６】
加入者電話装置１１は、ＶｏＩＰ電話端末５からの"ＢＹＥ"メソッドに対してレスポンスコード２００の"ＯＫ"をサーバ４を介してＶｏＩＰ電話端末５に応答する。
【００７７】
これにより、ＶｏＩＰ電話端末５では転送状態から待ち受け状態に復帰する。また、加入者電話装置１１とＶｏＩＰ電話端末９との通話がなされる。
【００７８】
＜転送先応答無の場合＞
次に、図３を参照しつつ転送先応答無の場合を説明する。尚、転送開始から転送先発呼に至るシーケンスは上記転送先応答有の場合と同一であるので、それ以降の説明をする。尚、ここでのサーバ４は法人向けＩＰ電話サービス（Ｅ−ＣＡＳ）サーバである。
【００７９】
（通話路閉塞）
ＶｏＩＰ電話端末５のオペレータは、ＶｏＩＰ電話端末９から呼び出し音が流れてきたので、ハンドセットを置いてオンフックとする。また、これに伴い、ＶｏＩＰ電話端末５の表示部５５に「転送中」が表示される。
【００８０】
次に、例えば、ＶｏＩＰ電話端末５の表示部５５に「転送中」が継続して表示されている等、ある程度の長時間（感覚的なもの）が経過した場合、転送がどうなっているかの確認のためにハンドセットを取り上げると、このオフフックにより通話路が開放され、そのハンドセットから呼び出し音が流れる。
【００８１】
これにより、ＶｏＩＰ電話端末５では転送が完了していないとしてＶｏＩＰ電話端末の『取消しボタン』を押下する。
【００８２】
ＶｏＩＰ電話端末５は、サーバ４を介して転送を中止するための"ＣＡＮＣＥＬ"メソッドがＶｏＩＰ電話端末９に送信される。
【００８３】
ＶｏＩＰ電話端末９は、この"ＣＡＮＣＥＬ"メソッドを受けて、サーバ４にレスポンスコード２００の"ＯＫ"を送信する。また、ＶｏＩＰ電話端末９は、サーバ４にレスポンスコード４８７の"Ｒｅｑｅｓｔ  Ｔｅｒｍｉｎａｔｅｄ（リクエスト終了）"を送信する。
【００８４】
サーバ４は、レスポンスコード４８７の"Ｒｅｑｅｓｔ  Ｔｅｒｍｉｎａｔｅｄ"に対する最終応答受信の"ＡＣＫ"メソッドをＶｏＩＰ電話端末９に送信する。
【００８５】
これにより、ＶｏＩＰ電話端末５では、加入者電話装置１１との保留中に復帰することができ、この保留を解除することで加入者電話装置１１との通話が可能となる。
【００８６】
尚、ＶｏＩＰ電話端末９への転送発信に対し、レスポンスコード４８６の"Ｂｕｓｙ（通話中）が返信された場合においても、上記と同様に加入者電話装置１１との保留中に復帰することができる。
【００８７】
このように、本発明のＶｏＩＰ電話システムにあっては、セカンダリコール無の転送であっても、転送操作後の復帰を可能とすることができ、現在使用し慣れている通常のアナログ転送と同様の転送操作を実現することが可能となる。
【図面の簡単な説明】
【００８８】
【図１】本発明のＶｏＩＰ電話システムの構成を示すブロック図である。
【図２】本発明のＶｏＩＰ電話システムにおける転送先応答有の場合のシーケンスの説明図である。
【図３】本発明のＶｏＩＰ電話システムにおける転送先応答無の場合のシーケンスの説明図である。
【図４】従来のＶｏＩＰ電話システムにおける転送先応答有の場合のシーケンスの説明図である。
【符号の説明】
【００８９】
１  インターネット網
２  ルータ
３  ゲートウェイ
４  サーバ
５  ＶｏＩＰ電話端末
６  ＶｏＩＰ電話端末
７  ＶｏＩＰ電話端末
８  ＶｏＩＰ電話端末
９  ＶｏＩＰ電話端末
【図１】
2005286578.tif 000003
【図２】
2005286578.tif 000004
【図３】
2005286578.tif 000005
【図４】
2005286578.tif 000006